(57)【特許請求の範囲】
【請求項１】
薄い印刷媒体シートのためのシート・デ・スキューイングを行うシート・エッジ・レジストレーション・システムであって、
シート移動方向に移動するシートが、前記レジストレーション・システムに係合した前記シートの少なくとも１つのエッジによって部分的にバックルされ、
バッフル部材が、回動自在に設けられ、前記レジストレーション・システムによりバックルされている前記シートの少なくとも一部分に対向し、かつ、バックルされた前記シートのうちの鉛直方向に湾曲させられた部分と該シートの搬送面との間に生ずる領域であるシート・バックル・チャンバーを少なくとも部分的に定めるようになっており、
前記バッフル部材は、該バッフル部材の中間部分に設けられた回動軸の周りに回動することが可能であって、全体的に前記シート移動方向を横断する方向に延び、かつ、全体的に前記シートの中間部分に延びることによって、前記回動軸の一方の側から前記シートの一方の側のうちの少なくとも実質的な部分に対向して延びる第１の側と、前記回動軸の他方の側から前記シートの他方の側のうちの少なくとも実質的な部分に対向して延びる第２の側と、を形成するようになっており、
それによって、
前記バッフル部材の前記第２の側が前記シートから離れる方向に回動することが、逆に自動的に前記バッフル部材の前記第１の側が前記シートに向かう方向に回動することになり、
前記バッフル部材が回動することにより、前記シートの一方の側における前記シート・バックル・チャンバーの高さ及びシート・パス長が、自動的に、前記シートの他方の側における前記シート・バックル・チャンバーの高さ及びシート・パス長と異なることによって、前記シート・エッジ・レジストレーション・システムによって部分的にバックルされている前記シートのデ・スキューイングを助ける、
ことを特徴とするシステム。
【請求項２】
前記シート・エッジ・レジストレーション・システムによって前記シートが部分的にバックルされている際に、前記シートの前記他側のバックリングより多い前記シートの前記一方の側のバックリングに応じて、前記バッフル部材が自動的に回動させられる、請求項１に記載のシステム。
【請求項３】
前記バッフル部材が、シート・スキュー検知器によって制御される駆動システムによって回動させられる、請求項１に記載のシステム。
【請求項４】
前記シート移動方向を横断する方向に延在し、退避可能となるように設けられた複数の位置シート・エッジ停止部材、を含む、請求項１に記載のシステム。
【請求項５】
前記シート移動方向を横断する方向に延在し、退避可能かつ復帰可能となるように設けられた複数の位置シート・エッジ停止部材であって、該位置シート・エッジ停止部材の通過するシートの初期動作のために自動的に退避させられ、かつ、前記シートの逆の移動により該位置シート・エッジ停止部材に対抗する前記シートのバックリングをもたらすために自動的に復帰させられる、ように構成された複数の位置シート・エッジ停止部材を有する、請求項１に記載のシステム。
【請求項６】
シート移動方向に移動する印刷媒体シートのシート・デ・スキューイングを行うシート・レジストレーション方法であって、
前記シートは、該シートの少なくとも１つのエッジがシートエッジ・レジストレーション・システムと係合することによってバックルされ、
バッフル部材が、回動自在に設けられ、前記シート・エッジ・レジストレーション・システムに対抗してバックルされている前記部分的にバックルされたシートの少なくとも一部分に対向し、かつ、バックルされた前記シートのうちの鉛直方向に湾曲させられた部分と該シートの搬送面との間に生ずる領域であるシート・バックル・チャンバーを少なくとも部分的に定めるようになっており、
前記バッフル部材は、該バッフル部材の中間部分に設けられた回動軸の周りに回動することが可能であって、全体的に前記シート移動方向を横断する方向に延び、かつ、全体的に前記シートの中間部分に延びることによって、前記回動軸の一方の側から前記シートの一方の側のうちの少なくとも実質的な部分に対向して延びる第１の側と、前記回動軸の他方の側から前記シートの他方の側のうちの少なくとも実質的な部分に対向して延びる第２の側と、を形成するようになっており、
それによって、
前記バッフル部材の前記第２の側が前記シートから離れる方向に回動することが、逆に自動的に前記バッフル部材の前記第１の側が前記シートに向かう方向に回動することになり、
前記バッフル部材が回動することにより、前記シートの一方の側における前記シート・バックル・チャンバーの高さ及びシート・パス長が、自動的に、前記シートの他方の側における前記シート・バックル・チャンバーの高さ及びシート・パス長と異なることによって、前記シート・エッジ・レジストレーション・システムによって部分的にバックルされている前記シートのデ・スキューイングを助ける、
ことを特徴とする方法。
【発明の詳細な説明】
【技術分野】
【０００１】
この出願の実施例に開示される技術は、シート・レジストレーション・システムのシステム内で、シート移動経路内のシートのエッジが、レジストレーション・システムの横断的に延在する部分に向かって、部分的に歪められる(buckled against)当該シート・レジストレーション・システムにおける、シート・レジストレーションのための改善システムであって、レジストレーション・システムにおいて、スキューされたシートのエッジのアライメントの改善されたデ・スキューイングを提供することを助けるために、シート・パス内のレジストレーション・システムによって横断的に可変にバックルされて(buckled)いるスキューされたシートを自動的に取り込み(accommodate)、スキューされたシートを制御することを助けるために、中央にピボットされた(centrally pivoted)横断的なピボット的な制御バッフル(transversely pivotal control baffle)が、レジスターされているシートのバックルされた領域(buckled area)を越え、それに可変的に噛み合う(variably engages)ものである。
【背景技術】
【０００２】
一般的背景において、シート・レジストレーション・システムの種々のタイプが、当業者に周知である。プリンタ又はフィニッシャのシート・パスの共通のシート・レジストレーション・システムは、シートのリーディング(移動方向)エッジが部分的に、シート・パス内の、横断的に延在するレジストレーション・ゲートに対してアーチ状にバックルされる(buckled)ものの１つである。良く知られるように、レジストレーション・ゲートは、シート・フィード・ローラ・ニップを一時的に立ち往生させる(stalled)こと、又は、それを減速すること、リトラクタブルなフィンガー又はピン等、によって、種々の形で提供され得る。一般的に、レジスター(registered)されるべきシートは、駆動されてレジストレーション・ゲートに対して持上げられ(driven up against)、シートのリード・エッジが完全にそれとアラインされるまで、少なくともその前方領域(forward area)が、僅かに、それに対して(thereagainst)バックルされる。次に、レジスターされたシートは、積み上げられる(stacked)ように、或いは、更に処理される(例えば、引き続いて、印刷画像に対しての所望のレジストレーションを持って印刷されるべき工程方向に供給される(fed on in)、又はステープルで留める、又はさもなければ仕上げされる(finished))ように、所望の時刻又は位置において開放され得る。
【０００３】
以下の特許の開示は、単に、ゼログラフィーの印刷シート・レジストレーション・システムについてさえ、この種の低コストのシート・バックリング・レジストレーション技術がそれ自体、如何に古いかについてのいくつかの例として記載された：1996年10月25日に発行されたゼロックス社の特許文献１、及び、1971年8月24日に発行された特許文献２
特に、シート・パスを制御するための、移動可能なシート・パス・バッフルについての先行技術として記載されるものは、Barrel Mandelによって2000年12月5日に発行されたゼロックス社の特許文献３である。
大きくスキューされたシートを、固定された位置(比較的小さな領域のレジストレーション・ゲート・フィンガー、ピン、又はパドル)に対する「ハード・ストップ(hard stop)」レジストレーション状態に駆動するための試みが、システムであって、当該システム内で垂直シート・パス間隙、又は、レジスターされているシートの頂部と底部の間の高さ(これは、シート・バックル・チャンバーを規定する)が固定されている、当該システム内で付加的な問題を持つことが発見された。スキューされたシートの次のリーディング・エッジ(then-leading edge)の１つの横断側(transverse side)を持ってその種のレジストレーション・システムに入来するスキューされたシートが、そのシートの次の(then)リーディング・エッジの他側を先導(leading)し、それ故に、１つの側(side)の上のみで、それらの小さな領域のレジストレーション・ゲート・フィンガー、又は、ピン、の１つだけに衝突する(impacting)。そのシート・エッジの衝突(impact)力は、シートのその同じ側の上の制限されたシート・バックリング高によって増加され得る。これは、シート・エッジ・マークを引き起こし、或いは、それを増加させ得るか、或いは、そのシート・エッジ衝撃領域を損傷させ得る。開示された実施例はこれを削減でき、それ故、より速いシート・パス輸送移動速度を持つより速い印刷レートにおいてさえ、「飛翔中の(on the fly)」シート・ホール・パンチング(sheet hole punching) を可能にもし得、及び／又は、レジストレーション中にシートを停止して逆転し、シート又はシート・セット仕上げにおいて、デ・スキューすることの必要性の削減、を可能にもし得る。
【０００４】
多くの望ましい、小さなフットプリントの再製機器アーキテクチャは、望ましくは、コンパクトな紙経路(paper path)を持つ。それらは、紙経路の、湾曲した(アーチ状の)部分におけるデ・スキューを含むシート・レジストレーションのためにシート・バックリング領域を配置することを望むか、或いは、そのように制約されるかもしれない。これは、シートが、そのような制約されたアーチ状のシート・パス内にある間に、スキューしたシートを、レジストレーション・システムのシート・エッジ横断レジストレーション停止システムに正確にバックリングする際における追加の問題を形成し得る。しかし、もし、シート・レジストレーションが、平面のシート・パス部分で為されている場合でさえ、シートのデ・スキューイング問題、及び／又は、シート・スキューの初期入来総量(initial entering amounts)に対する限定されたトレランスが、紙経路に横断的に(transversely)一定の高さ又は間隔の、単一の固定されたバックル・チャンバーを提供すること(これは、フルに、シートのリード・エッジをデ・スキューイングすることを提供しないかもしれない)によって悪化され得ることが発見されている。実質的な初期スキューを伴ってレジストレーション・システムに入来してくるシートは通常は、スキューされたシートのリーディング横断サイド(leading transverse side)の上に、非常に高くバックル・アップ(buckle up)することになる。このスキューされたシートのリーディング横断サイドにおいては、その、スキューされたシートのリード・エッジは最初に、スキューされたシートの他の(トレーリング)側に比較して、レジステレーション・ゲートに噛み合わされる(engages)。
【０００５】
対照的に、ここの説明された模範的実施例において、他に比較してシート・パスの１つの横断側(装置内(inboard)．対．装置外(outboard))から反対の方向のバッフル動作を持つ、中央のピボッタブルなバッフルが提供され、これは、レジスターれているスキューされたシートを、増大されたデ・スキューイング許容度(latitude)に対して、横断的に(装置内．対．装置外)異なったようにバックルするように制御することを可能とし、それを手助けする。
デ・スキューイングされたシート・バックルは、レジストレーション・ゲートを形成するために、一時的に停止され、或いは、減速される、上流(upstream)シート・フィーディング・ニップのフィード・ローラに隣接して形成され得ること、及び、現在デ・スキューされたシートを、同じ方向に、そのシート・フィーディング・ニップを通じて下流に(downstream）フィードするために、シート・フィーディング・ニップが次に再スタートされ得ること、に留意して欲しい。しかし、デ・スキューイング・シート・バックルは、次の下流の(then-downstream)シート・フィーディング・ニップのフィード・ローラに隣接しても形成され得る。この、次の下流のシート・フィーディング・ニップのフィード・ローラは、その同じシートの先端(leading edge)がレジスターされ、次の上流(then-upstream)レジストレーション・ゲート(ここに図示されるリトラクタブルなピンのような)に対してデ・スキューされている間に、シートの後縁(trailing edge)をフィーディング・アウトし、下流のシート・フィーディング・ニップは次に、逆転して、現在デ・スキューされたシートを、そのニップを通じて、その入来方向とは反対方向に、逆フィードして戻し得る。
【０００６】
【特許文献１】米国特許第3,281,144号公報
【特許文献２】米国特許第3,601,392号公報
【特許文献３】米国特許第6,155,561号公報
【発明の開示】
【課題を解決するための手段】
【０００７】
ここに開示された特定の実施例の特定の特徴は、薄い（flimsy)な印刷媒体シートのための改善されたシート・デ・スキューイングを伴う、シート・エッジ・レジストレーション・システムを提供するためのものである。このシステム内では、シート移動方向に移動しているシートは部分的に、前記レジストレーション・システムと噛み合っている前記シートの少なくとも１つのエッジによってバックルされる。ここで、横断的にピボット的なバッフル部材は、ピボット可能(pivotally)に載置されて、少なくとも部分的に前記バックルされたシート(前記シート・エッジ・レジストレーション・システムによってバックルされている)の上に重なり、少なくとも部分的に、前記バックルされたシートのためのシート・バックル・チャンバーを規定する(define)。ここで、前記シートのデ・スキューイングが、前記シート・エッジ・レジストレーション・システムによって部分的にバックルされることを助けるために、前記シートから離れる方向の前記バッフル部材の前記第２の側のピボッタル動作が、自動的に、前記シートに向かう方向の、前記バッフル部材の前記第１の側のピボット的な動作とは反対であるように、そして、前記シートの１つの側の上の有効なバックル・チャンバー・サイズ及びシート・パス長が、自動的に、前記ピボット的なバッフル部材の前記ピボッティングからの前記シートの他の側の上の有効バックル・チャンバー・サイズ及びシート・パス長とは異なるように、前記ピボット軸の１つの側から前記シートの１つの側の少なくとも実質的な部分だけ外側に延在する前記ピボット的なバッフル部材の第１の側を提供するために、及び、前記ピボット軸の反対側から前記シートの反対側の少なくとも実質的な部分だけ外側に延在する前記バッフル部材の第２の側を提供するために、前記ピボット的なバッフル部材は、一般的に前記シート移動方向に横断的に延び、一般的に前記シートに中間的に延びるピボット軸の回りに(about)、中間的に(intermediately)ピボット可能である。
【０００８】
更に、ここの実施例に開示された特定の特徴は、個々に又は組み合せて、前記バッフル部材が、前記シートの１つの側のバックリングに応答して、前記シートが、前記シート・エッジ・レジストレーション・システムによって部分的にバックルされるにつれて、前記シートの他側のバックリングより多く、自動的にピボットされるものを含み、及び／又は、前記ピボット的なバッフル部材が、シート・スキュー検知器によって制御されたピボットか能な駆動システムによってピボットされるものを含み、及び／又は、前記シート・エッジ・レジストレーション・システムが、前記シート移動方向に横断的に延在する、複数のリトラクタブルな固定された位置シート・エッジ停止部材を含むものを含み、及び／又は、前記シート・エッジ・レジストレーション・システムが、前記シート移動方向に横断的に延びる、複数のリトラクタブルで延長可能な固定された位置シート・エッジ停止部材(fixed position sheet edge stop member)(これらは、前記リトラクタブルな固定位置シート・エッジ停止部材を通過したシートの初期動作のために自動的にリトラクトされ、前記シートの逆動作に対抗して(thereagainst)前記シートのバックリングを提供するために自動的に延長される)を持つものを含み、及び／又は、シート移動方向に移動する印刷媒体シートの改善されたシート・デ・スキューイングを伴ったシート・レジストレーション方法であって、前記シートが、前記シートの少なくとも１つのエッジとシート・エッジ・レジストレーション・システムの噛み合わせ(engagement)によってバックルされ、横断的にピボット的なバッフル部材がピボット可能に載置されて、少なくとも、前記シート・エッジ・レジストレーション・システムに対してバックルされている、前記部分的にバックルされたシートの部分の上に載り(overlie)、前記バッフル部材の前記第２の側のピボット的な、前記シートから離れる方向への移動が、自動的に、前記バッフル部材の前記第１の側のピボット的な、前記シートに向かう方向の動作とは反対であるように、そして、前記シートの１つの側の上の有効バックル・チャンバー・サイズ及びシート・パス長が、自動的に、前記ピボット的なバッフル部材のピボッティングからの前記シートの他側の上の有効バックル・チャンバー・サイズ及びシート・パス長とは異なるように、そして、前記シートのデ・スキューイングが、前記シート・エッジ・レジストレーション・システムによって、部分的にバックルされることを助けるために、前記ピボット的なバッフル部材は、少なくとも実質的に、前記ピボット軸の１つの側から前記シートの１つの側の外側に延びる前記ピボット的なバッフル部材の第１の側を提供するために、及び、少なくとも実質的な部分だけ前記ピボット軸の反対側から前記シートの反対側の外側に延びる前記バッフル部材の第２の側を提供するために、一般的に、前記シート動作方向に横断的に延び、前記シートに中間的に延びるピボット軸に対して(about)中間的にピボット可能である方法を含み、及び／又は、前記バッフル部材が、前記シートの１つの側のバックリング(これが、前記シートの他側のバックリングより大きい)との噛み合わせによって自動的にピボットされるものを含み、及び／又は、前記バッフ��部材が、レジスタされるべきシートのスキューの総量の検知によって制御されたピボット的な駆動システムによって自動的にピボットされるものを含み、及び／又は、前記シート動作方向に横断的に延長している、複数のリトラクタブルで延長可能な固定された位置シート・エッジ停止部材(これらは、前記リトラクタブルな固定された位置シート・エッジ停止部材を通過したシートの初期動作のために、自動的にリトラクトされ、前記シートの逆動作に対抗して、前記シート・エッジのバックリングのために自動的に延長される)を備えるシート・エッジ・レジストレーション・システムを含む。
【０００９】
ここで使用される、用語「再製装置」又は「プリンタ」は、請求項において別異に定義されない限り、種々のプリンタ、コピー機、又は、多機能の機器又はシステム、ゼログラフィック又は他のもの、を広く包含する。ここにおける用語「シート」は通常、紙の薄い物理的シート、プラスチック、又は、画像のための他の適切な物理的基板、を意味する。
発明主題の装置又は方法の特定の構成要素として、又は、その代替物として、それが通常のケースであるが、いくらかのそのような構成要素が、それ自体、他の装置又はアプリケーションにおいて既知であり、それら(ここに引用される技術を含めて)が、ここで追加的に又は代替的に使用され得ることが明らかであろう。例えば、各々のエンジニア及び他の者によって、ここに説明される特定の構成要素又はシステムの多くが、単に例示に過ぎないこと、及び、同じ新規な動機と機能が、多くの他の既知の或いは既に入手可能な代替物によって提供され得ること、が明らかとなるであろう。例えば、種々の上流(upstream)及び下流(downstream)のシート・フィーディング・システムが、ここに開示されたシステムとともに利用され得、それらが、当業者に周知であるために、ここには説明されない。全ての引用文献およびそれらの引用文献は、追加の或いは代替的な詳細、特徴、及び／又は、技術的背景の教示に対して適切な場合に、ここに、参照として取り込まれる。当業者にとって周知であるものは、ここに説明される必要は無い。
図面(これらは、大体のスケールである)を含む、以下の特定の実施例で開示された特定の装置及びその作動又は方法から、当業者にとって、種々の上述の及び更なる特徴及び利点が明白になるであろう。
【発明を実施するための最良の形態】
【００１０】
図面の開示された実施例の全ては、上記においてより一般的に説明されたような、改善された許容度(latitude)のシート・デ・スキューイング・システムを持つ、シート18のレジストレーション・システム20（ここには、リトラクタブルなシート・エッジ・ストップ又はパドル22Ａ、22Ｂを含む）のための、軸16に対してピボッタル(pivotal about)な中央にピボット的なバッフル14を持つ、ピボット的なバッフル・システムの実施例を示す。それらは、ここにおいて、共通に説明され、参照番号が付される。当業者に良く理解されうるように、図面は、シート18の、バッフル14とは他側の上のバッフルを規定する、従来的な、平面の(planar)下にある(underlying)シート経路のような、及び、バッフル14のための入口バッフルと出口バッフルのような、従来的或いは無関係の他の要素を除去するために単純化されている。しかし、図１の実施例10において、スキューされたシート18がレジスターされる(being registered)につれて、バッフル14は、バックリング・シート18によって自己ピボットされる一方、図２及び３の代替的な実施例12においては、バッフル14は、レジストレーション・システム20にシート・エッジが入る、或いは到着する際の、シート18のスキューの総量の、従来的なセンシング(従来的な光学的或いは他のシート・リード・エッジ・センサ22及び24、及び、従来的なプリンタ・コントローラ100でプログラムされた従来的なスキュー検知及び制御ソフトウェアによるもののような)によって制御され得る、モータ駆動されたカム30又は他のポジティブなバッフル・チルティング駆動によってアクティブにピボットされる(図３に概略的に示されるように)。
【００１１】
開示されたバッフル14は、紙の経路に横断的に(transversely)、好ましくは、全般的に紙の経路の中央ラインに対応してピボット軸16に沿って、中央にピボット出来る。レジストレーション中の、結果としての、デ・スキュー動作における改善を提供するために、バッフル14は、シートが、バックルに、異なった総量だけ紙の経路を横断してレジスターされることを可能に、及び／又は、制御するように設計されている。
さて、更に詳細に、図面群に示された、特定のシート・レジストレーション・システム20の実施例を参照すると、他の全ての点では従来技術の、プリンタ又はそのフィニィシャのシート経路の部分(従って、これらはここでは記述される必要がない)が示される。この例における各シート18は、シート経路内のシート・フィード・ローラ24によってシート・バックリング領域内に駆動されている。レジストレーション・システム20（この中でシート・バックルが形成される）の、このシート経路部分は、ここで、シート18の頂部側又は底部側に対して、従来的なバッフル表面、或いは複数のバッフル表面(これらは、ピボット的なバッフル14とは反対に固定され得る)によって規定され得る。この場合のピボット的なバッフル14は、そこから間隔が空けられ、シート18の他側(或いは底部)と噛み合わせ可能(engageable with)である。
【００１２】
説明された特定のシート・レジストレーション・システム20の実施例(上述のような多くの異なった可能なレジストレーション・システムの１つ)において、シートの、次のリーディング・エッジ(then-leading edge)は、その時点においてシート18のリード・エッジの前方移動を停止させるためにシート経路内に延在する、複数のリトラクタブルなレジストレーション・ピン又はパドル22Ａ及び22Ｂに対してレジスター(registered)されている。スキューされたシート18の、次の(then)リーディング・エッジのリーディング側(leading side)は、シート経路の１つの側においてのみ、それらの停止部材11Ａ又は22Ｂの１つによって停止されたシート18の第１の部分となる。図３においては、それは22Ａである。特に、図１に示されるように、それは、そのシート18の、その同じ横断側(transverse side)の上において、より大きなシート・バックルを引き起こす。それは次に(in turn)、ピボット的なバッフル14のその同じ側が、バックル・チャンバーの高さ(そして、それ故、シート18のその側の許容可能なバックル高さ)をより増大するように持ちあがる(lift up)ことを引き起こすか、或いは、それを要求する。
【００１３】
ピボッタブルなバッフル14の、その回転軸16の１つの側の上の、その第１の側を持上げることは、図１と２の双方に示されるように、他方の、横断的な、バッフル14の側を、即座に自動的に下げる(そして、バックル・チャンバー高さを削減する)ことにもなる。バッフル14の、このピボット的な移動は、更に押し下げ続け得、それ故、前方に押すことを援助し、その、シートの、他の(後縁(trailing))側を回転させて、それが、同じレジストレーション・ゲート(図３において、紙経路の他側の上のピン又はパドル22Ｂ)に噛み合って、改善された許容度(latitude)のシート18のデ・スキューイングを提供することを助け得る。
シート・バックルが図１のシステム10のようにその上に対して動作するか、さもなければ、図２及び３のシステム12のように、カム・ドライブ30によってピボットされるか、のいずれかによって、バッフル14がピボットされて紙経路の平面から外れる(pivoted out of)ときに、紙経路の１つの側(より大きなバックル・チャンバーを持つ側)の上の有効なシート・パス長が、シート・レジストレーション領域の紙経路の他側の上の有効シート・パス長より長いことに留意して欲しい。システム12において、方向であって、当該方向においてバッフルの１つの側が駆動システム30によって移動される当該方向(上昇又は下降)もまた、検知された(sensed)方向(時計回り、或いは、反時計回り)(この方向において、入来シート18がスキューされる)と対応する。しかし、システム10において、ある側の上の、レジスターされたスキューされたシートの他側に比較して、増加されたシート・バックルは、どの方向に、バッフル18がピボットするかを自動的に決定し、ピボッタル駆動システム或いはシート・スキュー検知システムは必要ない。
【００１４】
種々の上述の開示された特徴及び他の特徴、あるいは、それらの代替物が、必要に応じて、多くの他の異なったシステム又はアプリケーションに結合され得ることが理解されるであろう。また、その種々の現在予見不可能な、或いは、予期できない代替物、修正、変更、又は改善が、当業者によって今後為され得、これらもまた、特許請求の範囲によって包含されることが意図される。
【図面の簡単な説明】
【００１５】
【図１】スキューされたシート・バックル高さにおける横断的な差異を持つ、スキューされたシートのレジストレーション中に、中央にピボット的なバッフル部材のピボット的な動作を説明する、発明主題の改善されたデ・スキューイング・シート・レジストレーション・システムの１つの例又は実施例の斜視図であり、オプショナルのバッフル・チルティング・メカニズムの破線のビューによって、この中に第２の実施例が説明される。
【図２】実線で１つのバッフルがチルトした位置を示し、破線でチルトしていないバッフル位置を示すが、第２の実施例を提供する(回転可能なカムの)オプションのバッフル・チルティング・メカニズムをも示す、図１の模範的システムに類似する正面図である。
【図３】図２の実施例の上面図である。
【符号の説明】
【００１６】
10  システム
12  代替的な実施
14  ピボット的なバッフル
16  軸
18  シート
20  レジストレーション・システム
22Ａ  リトラクタブルなシート・エッジ・ストップ又はパドル
22Ｂ  リトラクタブルなシート・エッジ・ストップ又はパドル
24  シート・フィード・ローラ
30  カム
【図１】
0004785404.tif 000002
【図２】
0004785404.tif 000003
【図３】
0004785404.tif 000004